(57)【要約】【課題】洗浄用のスリットの位置を限りなくスカート壁の上方に形成することが出来て洗浄効果を向上させ得、内容液のしみ出しも防ぎ、しかもタンパーエビデント機構によるいたずら防止を確実にできる中栓付きキャップを提供する。【解決手段】容器２の口部３に嵌合固定される中栓４と、これを覆うキャップ本体５とからなり、閉栓時に、キャップ本体５の雌螺条１１より上方にあり且つ中栓４の天板６の外周縁７下面より下方に位置するキャップ本体５のスカート壁１０をスリット形成領域１５とし、この領域１５の内径Ｒ１はスカート壁１０の内径Ｒ２より大きく、中栓４の天板６の外径Ｒ３は雌螺条１１の内径Ｒ４より大きく且つスカート壁１０の内径Ｒ２より小さく形成して、洗浄性を高め、内容液のしみ出しも防ぎ、内容液に対するいたずら防止も万全に出来る。【選択図】図２
2008114879.tif 000002
【特許請求の範囲】
【請求項１】
容器口部に嵌合固定される中栓と、該中栓を覆うように前記容器口部の外周面に螺合されるキャップ本体とからなり、前記中栓は、天板と、該天板の外周縁から間隔をおいて前記天板下面から下方に延び、前記容器口部の内周面に密接するインナーリングを備えており、前記キャップ本体は、天面壁と該天面壁の周縁から垂下するスカート壁を有し、該スカート壁は、内周面に前記容器口部の外周面に螺合する雌螺条が形成され、且つ下端に破断可能なブリッジを介してタンパーエビデントバンドが設けられている中栓付きキャップにおいて、
閉栓時、前記雌螺条より上方には、該スカート壁を貫通するスリットが形成されているスリット形成領域が設けられており、該スリット形成領域の内径はスカート壁の内径より大きく、前記中栓の天板の外径は、前記雌螺条の内径より大きく、且つスカート壁の内径より小さいことを特徴とする中栓付きキャップ。
【請求項２】
前記スリットは、閉栓時、前記中栓の天板の外周縁下面より下方に位置するスカート壁に設けられている請求項１記載の中栓付きキャップ。
【請求項３】
前記中栓の天板には、該天板の外周縁から下方に延び、且つ内周面が容器口部天面から外周縁に当接するアウターリングが形成されている請求項１または２記載の中栓付きキャップ。
【請求項４】
前記スリット形成領域の内径と前記中栓の天板の外径は、０．２ｍｍ以上の間隔を有している請求項１ないし３記載の中栓付きキャップ。
【発明の詳細な説明】
【技術分野】
【０００１】
本発明は、お茶類、果汁飲料など液体内容物を充填する容器の口部に装着する中栓付きキャップに関するものであり、より詳しくは、容器の口部に嵌合固定される中栓と、これを覆う天面壁及びその天面壁の周縁から垂下するスカート壁からなるキャップ本体、キャップ本体下端に破断可能なブリッジを介して接続されたタンパーエビデント機構、とからなり、スカート壁上部に洗浄用スリットが形成されている中栓付きキャップにおいて、タンパーエビデント機構によるいたずら防止の実を確実に担保できると共に、高い洗浄性を有する中栓付きキャップに関する。
【背景技術】
【０００２】
容器にお茶類、果汁飲料などの液体を充填したあと、その容器の口部に、タンパーエビデント機構を備え一度開封するとその事実が残りいたずら防止を図る中栓付きキャップを、螺着することが行われている。この場合、内容液の充填時に、容器口部回りに内容液が付着してしまうが、それを充填時に阻止することは工程管理上難しいため、容器口部に中栓付きキャップを嵌めたあと、外部から洗浄液を噴射して洗浄除去を行うことになる。このような中栓付きキャップとして、下記のものが知られている。
【特許文献１】特願２００６−１６０３０１号公報
【０００３】
この特許文献１に係る中栓付きキャップは、図８に示すように、容器口部５０に嵌合固定される中栓５１と、この中栓５１を覆うように容器口部５０の外周面に螺合されるキャップ本体５２とからなり、キャップ本体５２は、天面壁５３とその周縁から垂下するスカート壁５４とを有し、このスカート壁５４には、その内周面に容器口部５０の外周面にある雄螺条５５に螺合される雌螺条５６が形成され、且つその下端にタンパーエビデント機構、すなわち、破断可能なブリッジ５７を介してタンパーエビデントバンド５８が設けられている。そして、キャップ本体５２のスカート壁５４の上部には、周方向に所定の間隔をおいて洗浄液を通すスリット５９が形成され、このスリット５９は、容器口部５０にキャップ本体５２が螺着された状態で、容器口部５０の雄螺条５５よりも上方に位置している。
【０００４】
したがって、容器口部５０の雄螺条５５上に付着した内容液は、スリット５９を通った洗浄液により洗浄され、洗浄液と共に外部に排出される。その際、仮に内容液が洗浄排出されず容器口部５０の雄螺条５５上に残留しても、スリット５９の位置が雄螺条５５よりも上方にあるから、外部にしみ出すことがなく外観不良を起こすこともないという特性を備えている。
【発明の開示】
【発明が解決しようとする課題】
【０００５】
特許文献１記載の中栓付きキャップは、スリット５９の位置が雄螺条５５よりも上方にあればよいとしている。ところが、この中栓付きキャップは、現実にはスカート壁５４にスリット５９を開ける際、スカート壁外周面側から作用させるカッターによりスカート壁内周面側に発生するバリやスリット周辺の内方への変形６０により、開栓操作時に中栓５１をタンパーエビデント機構のブリッジ５７を破断する前に、開けてしまうのを避けるため（図９、１０参照）、すなわち、タンパーエビデント機構によるいたずら防止の実を担保するため、スリット５９の位置を容器口部５０の上端から下方に１．２ｍｍ以上と規制している。したがって、中栓付きキャップにおける上記洗浄は、通常、スリット５９の位置が雄螺条５５より上方であればあるほど良いものとされているが、特許文献１のものは、スリット５９の位置が容器口部５０の上端から１．２ｍｍ以上下方にあるため、その洗浄効果は極めて限定されたものとなってしまう虞がある。
【０００６】
そこで、本発明の目的は、スカート壁にスリットを開ける際のバリやスリット周辺のスカート壁の内方への変形があっても、洗浄用のスリットの位置を限りなくスカート壁の上方に出来て洗浄効果を向上させることができ、洗浄後の内容液のしみ出しも防ぎ、しかもタンパーエビデント機構によるいたずら防止の実を担保できる中栓付きキャップを提供することにある。
【課題を解決するための手段】
【０００７】
本発明は、上記目的を達成するために提案されたものであって、下記の構成からなることを特徴とするものである。
すなわち、本発明によれば、容器口部に嵌合固定される中栓と、該中栓を覆うように前記容器口部の外周面に螺合されるキャップ本体とからなり、前記中栓は、天板と、該天板の外周縁から間隔をおいて前記天板下面から下方に延び、前記容器口部の内周面に密接するインナーリングを備えており、前記キャップ本体は、天面壁と該天面壁の周縁から垂下するスカート壁を有し、該スカート壁は、内周面に前記容器口部の外周面に螺合する雌螺条が形成され、且つ下端に破断可能なブリッジを介してタンパーエビデントバンドが設けられている中栓付きキャップにおいて、
閉栓時、前記雌螺条より上方には、該スカート壁を貫通するスリットが形成されているスリット形成領域が設けられており、該スリット形成領域の内径はスカート壁の内径より大きく、前記中栓の天板の外径は、前記雌螺条の内径より大きく、且つスカート壁の内径より小さいことを特徴とする中栓付きキャップが提供される。
【０００８】
また、本発明によれば、スリットは、閉栓時、前記中栓の天板の外周縁下面より下方に位置するスカート壁に設けられている中栓付きキャップが提供される。
【０００９】
また、本発明によれば、前記中栓の天板には、該天板の外周縁から下方に延び、且つ内周面が容器口部天面から外周縁に当接するアウターリングが形成されている中栓付きキャップが提供される。
【００１０】
また、本発明によれば、前記スリット形成領域の内径と前記中栓の天板の外径は、０．２ｍｍ以上の間隔を有している中栓付きキャップが提供される。
【発明の効果】
【００１１】
本発明の中栓付きキャップは、スリット形成領域内のスカート壁は他部分のスカート壁より凹んでいるため、スリットの形成時に生じるバリやスリット周辺の内方への変形があっても、開栓操作の際これらバリや内方変形部分が中栓の天板の外周縁下面に当たらず、タンパーエビデントバンドに連結したブリッジを破断する前に、中栓を開栓する不都合がない。また、スリットのバリや内方変形部分により、ブリッジの破断前における中栓の開栓がないから、スリットの位置をスリット形成領域内において限りなく上部に形成することが出来る。したがって、タンパーエビデント機構によるいたずら防止の実を全う出来、しかもスリットの位置をスリット形成領域内で限りなく上に出来ることにより、洗浄効果を向上させることができると共に、洗浄液のしみ出しもない。
【００１２】
また、本発明の中栓付きキャップは、スリットが前記中栓の天板の外周縁下面より下方に位置するスカート壁に設けることで、スリットから洗浄液を浸入を確実にし、洗浄効果をさらに向上させることができる。したがって、上記の効果をより確実にすることができる。
【００１３】
また、本発明の中栓付きキャップは、中栓のアウターリングの内周面が容器口部天面から外周縁に当接して、容器口部上の内容液を排除し、洗浄時に洗浄液の容器内への侵入を防ぐことができる。したがって、上記の効果に加えて、内容液の排除とシール性が高められる。
【００１４】
また、本発明の中栓付きキャップは、スリット形成領域の内径と中栓の天板の外径と間の間隔を０．２ｍｍ以上とすることにより、スリット形成によりバリが出来たり、スカート形成領域が内方に変形しても、確実に中栓にスリット形成領域が当接しない。したがって、上記の効果をより確実にすることができる。
【発明を実施するための最良の形態】
【００１５】
以下に、図面を参照して本発明を実施するための最良の形態を説明する。
【実施例１】
【００１６】
図１は本発明の実施の形態を示し、中栓付きキャップを容器の口部に装着して閉栓した状態の半裁断面図、図２は図１の中栓付きキャップの要部の断面図である。
図において、中栓付きキャップ１は、容器２の口部３に嵌合固定される中栓４と、この中栓４を覆うように容器口部３の外周面に螺合されるキャップ本体５とからなり、中栓４は、天板６と、この天板６の外周縁７から間隔をおいて天板６下面から下方に延び、容器口部３の内周面に密接するインナーリング８を備えており、キャップ本体５は、天面壁９とこの天面壁９の周縁から垂下するスカート壁１０を有し、このスカート壁１０は、内周面に容器口部３の外周面に螺合する雌螺条１１が形成され、且つ下端にタンパーエビデン機構を、すなわち、破断可能なブリッジ１２を介してタンパーエビデントバンド１３が設けられ、閉栓時、雌螺条１１より上方にあって、且つ中栓４の天板６の外周縁７下面より下方に位置するスカート壁１０には、このスカート壁１０を貫通するスリット１４が形成されているスリット形成領域１５が設けられており、このスリット形成領域１５の内径Ｒ１はスカート壁１０の内径Ｒ２より大きく（Ｒ１＞Ｒ２）、中栓４の天板６の外径Ｒ３は、雌螺条１１の内径Ｒ４より大きく、且つスカート壁１０の内径Ｒ２より小さい（Ｒ２＞Ｒ３＞Ｒ４）ことが重要である。
【００１７】
前記容器２としては、その口部３に上記の中栓付きキャップ１を装着出来るものであれば良く、ボトルタイプのものに好ましく用いられ、その材質は合成樹脂やガラスである。容器２の口部３への中栓付きキャップ１の装着は、図１に示すように、容器口部３の外周面に雄螺条２０を形成し、キャップ本体５の内周面に形成した雌螺条１１とで、両者を螺着することで行われる。その際、パッキンの役割を担っている中栓４のインナーリング８が容器口部３内に挿入され、容器口部３の内周面に密接する。
【００１８】
一方、中栓４の天板６には、その外周縁７から下方に延び、且つその内周面が容器口部３の天面３ａから外周縁３ｂに当接されるアウターリング２１が形成されている。したがって、このアウターリング２１の内周面が、容器口部３の天面３ａから外周縁３ｂに当接して、容器口部上に付着した内容液を排除し、洗浄時に洗浄液の容器２内への侵入を防ぐことができる。
【００１９】
前記キャップ本体５は、既述のように、天面壁９とスカート壁１０とを有し、スカート壁１０の外周面にはすべり止め用縦溝１０ａが刻まれ、内周面には前記容器口部３の雄螺条２０に対応する雌螺条１１が形成されている。この雌螺条１１は、周方向に一定間隔で分断され、その分断部位は洗浄時における洗浄液の排出路となっている。
【００２０】
キャップ本体５のスカート壁１０下端には、既述のように、破断可能なブリッジ１２を介してタンパーエビデントバンド１３が設けられている。ブリッジ１２は周方向に一定間隔で複数設けられ、このタンパーエビデントバンド１３には弾性変形可能な係止材２２が設けられている。この係止材２２は、容器口部３の外周面に設けられた係止突条２３と相俟って、ブリッジ１２を破断しないとキャップ本体５を外すことが出来ないようにし、いたずら防止を図っている。
【００２１】
また、このスカート壁１０には図２のＬで表示するスリット形成領域１５が設けられ、このスリット形成領域１５は、雌螺条１１より上方にあって、且つ中栓４の天板６の外周縁７下面より下方に位置する部位である。このスリット形成領域１５は、すでに述べたように、その内径Ｒ１がスカート壁１０の内径Ｒ２より大きい（Ｒ１＞Ｒ２）ことが重要である。さらに、中栓４の天板６の外径Ｒ３は、雌螺条１１の内径Ｒ４より大きく、スカート壁１０の内径Ｒ２より小さい（Ｒ２＞Ｒ３＞Ｒ４）から、スリット形成領域１５の内径Ｒ１は、図２から明らかなとおり、Ｒ１＞Ｒ２＞Ｒ３＞Ｒ４の関係にあることがわかる。
【００２２】
そして、このスリット形成領域１５には、洗浄液をキャップ本体５と容器口部３との間に導入するためのスリット１４が周方向に所定の間隔をおいて複数設置されている。このスリット１４は、洗浄液をキャップ本体５と容器口部３との間に導入するためのものであるから、スリットだけに限定されず他の形状、例えば、円形、矩形などであっても良い。このスリット１４の設置位置は、スリット形成領域１５内であればどこでも良いが、洗浄効果の面からみると、限りなく上方が良い。したがって、図１、２に示すとおり、スリット１４は、中栓４の天板６の外周縁７下面近傍に設置し、その洗浄効果を極限まで向上させている。
【００２３】
このスリット１４の設置位置を限りなく上に出来る理由は、スカート壁１０におけるスリット形成領域１５の内径Ｒ１が中栓４の天板６の外径Ｒ３より充分大きいため、スリット形成領域１５に設けたスリット１４によるバリ２４やスリット１４周辺の内方への変形部分があっても、これらバリ２４や内方変形部分により、中栓４の天板６の外周縁７に当たることが無く、したがって、タンパーエビデント機構のブリッジ１２が破断される前に
、中栓４が開くことが無いことによる。なお、スリット形成領域１５の内径Ｒ１と中栓４の天板６の外径Ｒ３は、本発明者等の実験によれば、０．２ｍｍ以上の間隔を有していれば、中栓４にスリット形成領域１５が当接することがなかった。なお、上記間隔は０．２ｍｍ以上であれば良いが、その上限は容器口部に組み込まれる中栓の天板が機能し得る外径であるから無限ではなく、容器の口部の大きさによっても異なるもののおのずと規制されることは言うまでもない。
【００２４】
次に、図３ないし６を参照して、上記構成になる中栓付きキャップの利用状況を説明する。
まず、容器口部３から容器２にお茶類、果汁飲料などの液体内容物を充填したあと、キャップ本体５に中栓４を内装した状態の中栓付きキャップ１を容器口部３にあてがい、閉栓方向に回転させて螺合して行き最終的に螺着する（図３参照）。この過程で、キャップ本体５の下端にあるタンパーエビデントバンド１３の係止材２２を弾性変形させて、容器口部３の係止突条２３を乗り越え、さらに係止材２２の弾性変形を元に戻し係止突条２３下の容器口部３に係止する。一方、中栓４は、そのインナーリング８を容器口部３内に挿入し容器口部３の内周面に密接し、さらに、キャップ本体５の天面壁９により中栓４の天板６を押さえ付け、閉栓する。なお、内容液の充填時に容器口部３の天面上に内容液が付着しても、アウターリング２１の内周面が容器口部３の天面３ａから外周縁３ｂに当接して、内容液を排除することが出来、後述の洗浄時に洗浄液が容器２内へ侵入することもより完全に防ぐことができる。
【００２５】
容器口部３に中栓付きキャップ１を螺着したあと、外部から洗浄液を噴射し、スリット１４を通して洗浄液を容器口部３とキャップ本体のスカート壁１０でもあるスリット形成領域１５との間に送る。スリット１４は、すでに述べたように、その設置位置が限りなく上にあるから、その洗浄効果を極限まで向上させた状態で容器口部３及びその周辺を洗浄して、その洗浄液と共に付着内容液を外部に排出することができる。
【００２６】
この中栓付きキャップ１を装着した容器２の開栓に際しては、キャップ本体を開栓方向に回転させて、ブリッジ１２を破断しタンパーエビデントバンド１３をキャップ本体５の下端から切り離す（図４参照）。その際、スリット１４は、スリット形成領域１５における限りなく上方に、すなわち、中栓４の天板６の外周縁７下面近傍に位置して設置してあるから、スリット１４は、直ちに中栓４の天板６の外周縁７を通過することになるが、スリット１４のバリ２４や内方変形部分があっても、スリット形成領域１５の内径Ｒ１が中栓４の天板６の外径Ｒ３より充分大きいため（Ｒ１＞＞Ｒ３）、中栓４の天板６の外周縁７に当たることが無く通過する。したがって、タンパーエビデント機構のブリッジ１２を破断する前に、中栓４が開くことが無く、いたずら防止を全うすることが出来る。
【００２７】
キャップ本体５を開栓方向にさらに回転させると、キャップ本体５の雌螺条１１が中栓４の天板６の外周縁７に当たり、中栓４の開栓を始め（図５参照）、遂に中栓４を完全に開栓することになり（図６参照）、中栓４と共にキャップ本体５を容器口部３から取り外し、消費者は容器２の内容液を消費することが出来る。
【００２８】
容器２の内容液が残留した状態では、再び容器口部３に中栓付きキャップ１を装着することになるが、その場合、中栓４はキャップ本体５に内装してあるから、その状態のままでキャップ本体５を容器口部３にあてがい、閉栓方向に回転させて螺合して行き、容器口部３内に中栓４を挿入して閉栓して、最終的に螺着すればよい。
【実施例２】
【００２９】
図７は、本発明の他の実施の形態を示し、中栓付きキャップを容器の口部に装着して閉栓した状態の断面図である。この中栓付きキャップ１ａと図１ないし６に示す中栓付きキャップ１との相違点は、キャップ本体５の雌螺条１１より上方でスリット１４より下方に位置する前記スリット形成領域１５に、中栓４の天板６の外周縁７より内方に突出する中栓止め突条３０を形成している点にある。そして、この中栓止め突条３０が有ることにより、中栓４をキャップ本体５にガタつかずに内装することが出来、開栓操作の際、雌螺条１１に先行して中栓４の天板６の外周縁７に当たり、中栓４の開栓を始めると共に完全に開栓することになる。なお、この中栓止め突条３０は、水平方向に形成されるもので、連続していても、一部を切欠してあってもよい。また、中栓止め突条は雌螺条の最上部から連続して延びていても良い。その他の構成、作用は、図１ないし６に示す中栓付きキャップ１と同様なので、図面に符号を付してその説明を省略する。
【００３０】
以上、本発明の実施例１、２を説明したが、具体的な構成はこれに限定されず、本発明の要旨を逸脱しない範囲での変更は適宜可能であることは理解されるべきである。
【産業上の利用可能性】
【００３１】
本発明の中栓付きキャップは、容器に内容液を充填しキャッピングしたあと、内容液充填の際容器口部に付着した内容液を効率的に洗浄する必要があり、しかも内容液に対するいたずら防止のタンパーエビデント機構を全うしたいような場合において、極めて高い利用価値がある。
【図面の簡単な説明】
【００３２】
【図１】実施例１に示した本発明の実施の形態を示し、中栓付きキャップを容器の口部に装着して閉栓した状態の半裁断面図である。
【図２】図１の中栓付きキャップの要部の断面図である。
【図３】実施例１に示した本発明の中栓付きキャップの開栓工程を説明する断面図である。
【図４】実施例１に示した本発明の中栓付きキャップの開栓工程を説明する断面図である。
【図５】実施例１に示した本発明の中栓付きキャップの開栓工程を説明する断面図である。
【図６】実施例１に示した本発明の中栓付きキャップの開栓工程を説明する断面図である。
【図７】実施例２に示した中栓付きキャップを容器の口部に装着して閉栓した状態の断面図である。
【図８】特許文献１に示された従来例の開栓工程を説明する断面図である。
【図９】特許文献１に示された従来例の開栓工程を説明する断面図である。
【図１０】特許文献１に示された従来例の開栓工程を説明する断面図である。
【符号の説明】
【００３３】
１，１ａ                  中栓付きキャップ
２                        容器
３，５０                  口部
３ａ                      天面
３ｂ，７                  外周縁
４，５１                  中栓
５，５２                  キャップ本体
６                        天板
８                        インナーリング
９，５３                  天面壁
１０，５４                スカート壁
１０ａ                    すべり止め用縦溝
１１，５６                雌螺条
１２，５７                ブリッジ
１３，５８                タンパーエビデントバンド
１４，５９                スリット
１５                      スリット形成領域
２０，５５                雄螺条
２１                      アウターリング
２２                      係止材
２３                      係止突条
２４                      バリ
３０                      中栓止め突条
６０                      スリット周辺の内方変形  
Ｒ１                      スリット形成領域の内径
Ｒ２                      スカート壁の内径
Ｒ３                      中栓の天板の外径
Ｒ４                      雌螺条の内径
【図１】
2008114879.tif 000003
【図２】
2008114879.tif 000004
【図３】
2008114879.tif 000005
【図４】
2008114879.tif 000006
【図５】
2008114879.tif 000007
【図６】
2008114879.tif 000008
【図７】
2008114879.tif 000009
【図８】
2008114879.tif 000010
【図９】
2008114879.tif 000011
【図１０】
2008114879.tif 000012